(57)【要約】【課題】化粧部材を容易に取り外すことができる発光パネル提供する。【解決手段】発光パネル１は、光源２１と、該光源２１から入射された光を面状に出射する出光面２２ｃを有する導光板２２とを含む面状発光部２と、出光面２２ｃ側に配置された化粧部材３とを備える。光源２１及び導光板２２は、保持部２３によって保持されている。保持部２３は、上下方向に沿って両側から光源２１及び導光板２２を挟持し、互いに対向する上側フレーム部２４、下側フレーム部２５を有する。化粧部材３は磁力によって上側フレーム部２４、下側フレーム部２５に着脱可能に取り付けられている。【選択図】図１
2019023954.tif 000002
【特許請求の範囲】
【請求項１】
面状発光部と、
前記面状発光部の出光側に配置されるとともに該面状発光部に対して着脱可能にされた化粧部材と、
を備えることを特徴とする発光パネル。
【請求項２】
前記化粧部材は、光拡散板と該光拡散板に設けられた化粧シート又は化粧層とを有する請求項１に記載の発光パネル。
【請求項３】
前記化粧部材は、光透過性を有する板状部材と、該板状部材に設けられた化粧シート又は化粧層とを有する請求項１に記載の発光パネル。
【請求項４】
前記化粧部材は、枠体と該枠体に設けられた化粧シートとを有する請求項１に記載の発光パネル。
【請求項５】
前記面状発光部は、該面状発光部を保持する保持部を有し、
前記化粧部材は、前記保持部に着脱可能に設けられている請求項１〜４のいずれか一項に記載の発光パネル。
【請求項６】
前記保持部は、互いに対向して配置された一対のフレーム部を少なくとも有し、
前記化粧部材は、磁力によって前記一対のフレーム部に取り付けられている請求項５に記載の発光パネル。
【請求項７】
前記保持部は、互いに対向して配置された一対のフレーム部を少なくとも有し、
前記化粧部材は、前記一対のフレーム部に嵌合されている請求項５に記載の発光パネル。
【請求項８】
前記面状発光部は、光源と、該光源から入射された光を面状に出射する導光板とを更に有する請求項１〜７のいずれか一項に記載の発光パネル。
【請求項９】
前記面状発光部は、表面に複数の点状発光素子が配置された基板を更に有する請求項１〜７のいずれか一項に記載の発光パネル。
【発明の詳細な説明】
【技術分野】
【０００１】
本開示の実施形態は、発光パネルに関する。
【背景技術】
【０００２】
従来、このような分野の技術として、例えば下記特許文献１に記載されるものがある。特許文献１には、導光板の側端面から内部に導入された照明光を、導光板の裏面に設けられた光反射板によって表側に反射させて外部に照射する面発光装置が開示されている。この面発光装置では、導光板の表面に柄模様を有する化粧部材を設けるとともに、光反射板に非白色系統のベース色を備えることによって、柄模様の立体的な外観を得ることができる。
【先行技術文献】
【特許文献】
【０００３】
【特許文献１】特開２００９−８０９８１号公報
【発明の概要】
【発明が解決しようとする課題】
【０００４】
しかし、上述の面発光装置では、化粧部材が導光板に貼り付けられているので、柄模様を変更したいとき、或いは損傷した化粧部材を交換したいときに、化粧部材を導光板から容易に取り外すことができない問題があった。
【０００５】
本開示の実施形態は、上記の点に鑑みてなされたものであり、化粧部材を容易に取り外すことができる発光パネル提供することを目的とする。
【課題を解決するための手段】
【０００６】
本開示の実施形態に係る発光パネルは、面状発光部と、前記面状発光部の出光側に配置されるとともに該面状発光部に対して着脱可能にされた化粧部材と、を備えることを特徴としている。
【０００７】
本開示の一実施形態に係る発光パネルにおいて、前記化粧部材は、光拡散板と該光拡散板に設けられた化粧シート又は化粧層とを有することが好ましい。
【０００８】
本開示の一実施形態に係る発光パネルにおいて、前記化粧部材は、光透過性を有する板状部材と、該板状部材に設けられた化粧シート又は化粧層とを有することが好ましい。
【０００９】
本開示の一実施形態に係る発光パネルにおいて、前記化粧部材は、枠体と該枠体に設けられた化粧シートとを有することが好ましい。
【００１０】
また、本開示の一実施形態に係る発光パネルにおいて、前記面状発光部は、該面状発光部を保持する保持部を有し、前記化粧部材は、前記保持部に着脱可能に設けられていることが好ましい。
【００１１】
更に、本開示の一実施形態に係る発光パネルにおいて、前記保持部は、互いに対向して配置された一対のフレーム部を少なくとも有し、前記化粧部材は、磁力によって前記一対のフレーム部に取り付けられていることが好ましい。
【００１２】
更に、本開示の一実施形態に係る発光パネルにおいて、前記保持部は、互いに対向して配置された一対のフレーム部を少なくとも有し、前記化粧部材は、前記一対のフレーム部に嵌合されていることが好ましい。
【００１３】
更に、本開示の一実施形態に係る発光パネルにおいて、前記面状発光部は、光源と、該光源から入射された光を面状に出射する導光板とを更に有することが好ましい。
【００１４】
更に、本開示の一実施形態に係る発光パネルにおいて、前記面状発光部は、表面に複数の点状発光素子が配置された基板を更に有することが好ましい。
【発明の効果】
【００１５】
本開示によれば、化粧部材を容易に取り外すことができる。
【図面の簡単な説明】
【００１６】
【図１】第１実施形態の発光パネルを示す断面図である。
【図２】第１実施形態の発光パネルを示す分解斜視図である。
【図３】第２実施形態の発光パネルを示す断面図である。
【図４】第２実施形態の発光パネルを示す分解斜視図である。
【図５】第３実施形態の発光パネルを示す断面図である。
【図６】第４実施形態の発光パネルを示す断面図である。
【図７】第５実施形態の発光パネルを示す断面図である。
【図８】第１実施形態の発光パネルの変形例を示す断面図である。
【図９】内部に補強部材を設けた枠体を示す平面図である。
【図１０】第６実施形態の発光パネルを示す断面図である。
【図１１】第７実施形態の発光パネルを示す断面図である。
【発明を実施するための形態】
【００１７】
以下、図面を参照して本開示の実施形態について説明する。図面の説明において同一の要素には同一符号を付し、重複説明を省略する。また、図面においては、図示と理解のしやすさの便宜上、実物に対して寸法などを変更したり誇張したりする場合がある。
【００１８】
更に、本明細書において特に断らない限り、「板」と「シート」の用語は、呼称の違いのみに基づいており、互いに区別されるものではない。例えば、「板」はシートと呼ばれ得るような部材も含む概念である。したがって、「導光板」とは、「導光シート」と呼称の相違のみにおいて区別されない。
【００１９】
＜第１実施形態＞
図１は第１実施形態の発光パネルを示す断面図であり、図２は第１実施形態の発光パネルを示す分解斜視図である。本実施形態の発光パネル１は、通常のベース照明と異なった空間演出用の照明に用いられるものであり、部屋の天井、壁、床や空間を仕切るパーテンションなどに後付で取り付けられ、ベース照明とともにユーザに優しい光空間を演出するためのパネルである。
【００２０】
発光パネル１は、例えばネジ止めで部屋の壁Ｗに取り付けられており、壁Ｗに隣接して配置された面状発光部２と、該面状発光部２よりも部屋の内部側（図１において、壁Ｗの右側）に配置された化粧部材３とを備えている。面状発光部２は、エッジライト型の面光源装置を有するものであり、長尺状の光源２１と、光源２１から入射された光を方向転換させて部屋内部に出射する導光板２２と、導光板２２の出光面２２ｃの少なくとも一部を露出するように該導光板２２及び光源２１を保持する保持部２３とを有する。
【００２１】
光源２１には、発光ダイオード（ＬＥＤ）、冷陰極管、白熱電球、レーザー発振装置などを用いることができるが、装置全体の小型化を図り易くする観点から、本実施形態では点状のＬＥＤが用いられている。従って、本実施形態の光源２１は、長尺状の光源基板と、該光源基板に一定の間隔で実装された複数の点状ＬＥＤとからなる。
【００２２】
導光板２２は、矩形状の薄板を呈しており、互いに対向する一対の主面と、一対の主面の間に画成された４つの側端面とを有する。導光板２２は、４つの側端面のうちの一つが光源２１と対面するように、光源２１の下方に配置されている。そして、この光源２１と対面する側端面は、光源２１から出射された光が入射する入光面２２ａとされている。該入光面２２ａとは反対側（すなわち、光源２１から離れる側）の側端面は、入光面２２ａと対向する対向面２２ｂである。
【００２３】
一方、一対の主面のうち、部屋の内部に面する主面（言い換えれば、壁Ｗから離れた主面）は出光面２２ｃとされ、該出光面２２ｃとは反対側の主面（すなわち、壁Ｗに隣接する主面）は裏面２２ｄとされている。出光面２２ｃは、入光面２２ａと直交しており、光源２１から入光面２２ａを介して入射された光を部屋の内部に向かって面状に出射させる。この導光板２２は、例えば透光性の高いアクリル樹脂などの樹脂材料によって形成されている。
【００２４】
保持部２３は、一軸方向（ここでは、上下方向）に沿って両側から光源２１及び導光板２２を挟持し、互いに対向する上下一対のフレーム部（上側フレーム部２４、下側フレーム部２５）を有する。上側フレーム部２４は、光源２１及び導光板２２の長手方向（ここでは、水平方向）に沿って延びており、水平方向から見たときに下方に開口する断面コ字状を呈している。
【００２５】
より具体的には、この上側フレーム部２４は、光源２１と対面して該光源２１の長手方向に延設される天板部２４ａと、天板部２４ａの幅方向の両端からそれぞれ垂設されて部屋の内部側に位置する表板部２４ｂ、壁Ｗ側に位置する裏板部２４ｃとを有する。そして、天板部２４ａ、表板部２４ｂ及び裏板部２４ｃによって、光源２１と導光板２２の上端部とを収容するための凹溝２４１が形成されている。
【００２６】
一方、下側フレーム部２５は、水平方向に沿って延設されており、水平方向から見たときに上方に開口する断面コ字状を呈する。具体的には、下側フレーム部２５は、導光板２２の対向面２２ｂと対面して導光板２２の長手方向に延設される床板部２５ａと、床板部２５ａの幅方向の両端からそれぞれ立設されて部屋の内部側に位置する表板部２５ｂ、壁Ｗ側に位置する裏板部２５ｃとを有する。床板部２５ａ、表板部２５ｂ及び裏板部２５ｃによって、導光板２２の下端部を収容するための凹溝２５１が形成されている。なお、上側フレーム部２４及び下側フレーム部２５は、アルミニウムなどの金属材料によって形成されても良く、樹脂材料によって形成されても良い。
【００２７】
図１に示すように、所定の距離で離れて配置された上側フレーム部２４及び下側フレーム部２５は、壁Ｗ側に配置された光反射板２６によって連結されている。具体的には、上側フレーム部２４は、その裏板部２４ｃを介して接着などで光反射板２６の上端部に固定されている。一方、下側フレーム部２５は、その裏板部２５ｃを介して接着などで光反射板２６の下端部に固定されている。
【００２８】
光反射板２６は、白色の拡散反射ができる板状部材、金属などの高い反射率を有する材料からなる板状部材、高い反射率を有する材料からなる薄膜（例えば金属薄膜）を表面層として含んだ板状部材であっても良く、又は誘電体多層膜を板状部材に成膜することで形成されても良く、若しくは金属粒子や白顔料を分散した樹脂を板状部材に塗布することで形成されても良く、若しくはこれらの材料を含むフィルムを板状部材に貼り付けることで形成されても良い。
【００２９】
一方、化粧部材３は、面状発光部２の出光側（すなわち、導光板２２の出光面２２ｃ側）に配置され、光拡散板３１と化粧シート３２とを有するように構成されている。光拡散板３１は、矩形状の薄板を呈しており、互いに対向する一対の主面と、一対の主面の間に画成された４つの側端面とを有する。この光拡散板３１には、光拡散機能を発揮し得る種々の構成を採用することができ、例えば拡散材を含有する樹脂製の板状部材や、基材となる樹脂製の板状部材に拡散材を含有するバインダをコートした部材や、基材となる樹脂製の板状部材にマイクロレンズアレイが形成されたマイクロレンズアレイシートなどを用いることができる。
【００３０】
化粧シート３２は、意匠効果を果たすものであり、光透過性を有しても良く、光透過性を有しなくても良い。この化粧シート３２は、光拡散板３１における部屋内部側に面する主面に貼り付けられている。周囲との統一感を得られるために、化粧シート３２は壁Ｗの壁紙と同じ意匠性を有するのが好ましい。ここで、同じ意匠性を有することは、同じ模様や色であれば材質が異なっても良いことを意味している。なお、化粧シート３２には、紙系の化粧シートや樹脂系の化粧シート（例えば大理石調シート、木目調化粧シート、鏡面調化粧シート）などを用いることができる。
【００３１】
このような構成を有する化粧部材３は、磁石の磁力によって面状発光部２に着脱可能に設けられている。具体的には、上側フレーム部２４の表板部２４ｂ及び下側フレーム部２５の表板部２５ｂには、これらの表板部の長手方向に延在する長尺状の磁石２７が接着などでそれぞれ固定されている。一方、光拡散板３１における磁石２７と対応する位置には、長尺状の鉄片部材３３が接着などで光拡散板３１の上端部及び下端部にそれぞれ固定されている。なお、ここで、長尺状の磁石２７及び鉄片部材３３に代えて、複数の個片状の磁石及び鉄片部材を一定の間隔で配置しても良い。また、磁石２７が吸着できる素材であれば、鉄のほかにニッケルやその他の複合材料などを用いても良い。
【００３２】
本実施形態の発光パネル１では、化粧部材３は磁石２７の磁力によって面状発光部２に着脱可能に取り付けられるので、例えば季節の変化、利用目的などのニーズに合わせて化粧部材３を変更したいとき、或いは破損した化粧部材３を交換したいときに、化粧部材３を面状発光部２から簡単に取り外すことができる。その結果、化粧部材３の模様替えや交換作業を容易に行える。
【００３３】
なお、本実施形態において、磁石２７及び鉄片部材３３の配置位置を入れ替えても良い。すなわち、鉄片部材３３を上側フレーム部２４の表板部２４ｂ側及び下側フレーム部２５の表板部２５ｂ側に配置させ、磁石２７を光拡散板３１側に配置させても良い。更に、この場合にあっては、上側フレーム部２４及び下側フレーム部２５を鉄製にすれば、鉄片部材３３を省くことができる。
【００３４】
また、本実施形態では、磁力に代えてマジックテープ（登録商標）、弱粘着テープ、シリコンテープ、吸盤などを利用して面状発光部２に対する化粧部材３の着脱を実現しても良い。更に、本実施形態において、光拡散板３１と化粧シート３２とを有する化粧部材３の例を説明したが、化粧シート３２に代えて光拡散板３１に化粧層を設けても良い。例えば、光拡散板３１における部屋内部側に面する主面に印刷、塗布などの方法で化粧層を形成する。このようにすれば、化粧シート３２を有する化粧部材３と同じ意匠効果を得られる。また、光透過性を有する透明板に拡散性のある化粧層又は化粧シートを設けても良い。
【００３５】
更に図８に示すように、本実施形態において、化粧部材３の化粧シート３２は、その上端部及び下端部が光拡散板３１の上側端面及び下側端面を覆うように、それぞれ面状発光部２側に折り曲げられて延設されても良い。すなわち、化粧シート３２は、光拡散板３１の主面を覆う第１部分３２ａと、光拡散板３１の上側端面を覆う第２部分３２ｂと、光拡散板３１の下側端面を覆う第３部分３２ｃとを有するように構成される。このようにすれば、光拡散板３１の主面のみならず上側端面及び下側端面も化粧シート３２により覆われるので、仮にこれらの側端面が目立つものであっても、化粧シート３２の第２部分３２ｂ及び第３部分３２ｃで隠れることにより、周囲との統一感を維持することができる。なお、ここで、周囲との統一感をより高めるために、化粧シート３２の第２部分３２ｂ及び第３部分３２ｃは、鉄片部材３３の上下両端部まで覆うように更に面状発光部２に近づくように延設されても良い。
【００３６】
＜第２実施形態＞
図３は第２実施形態の発光パネルを示す断面図であり、図４は第２実施形態の発光パネルを示す分解斜視図である。本実施形態の発光パネル１Ａは、磁力に代えて化粧部材３Ａが面状発光部２と着脱可能に嵌合される点において、第１実施形態と異なっている。その他の構成は第１実施形態と同様であるので、重複説明を省略する。
【００３７】
具体的には、化粧部材３Ａは、光拡散板３４と化粧シート３５とからなり、上側フレーム部２４及び下側フレーム部２５と嵌合できるように断面コ字状に形成されている。光拡散板３４は、面状発光部２の上下方向に延びる主面部３４ａと、該主面部３４ａの上端から略垂直に折り曲げられて上側フレーム部２４の天板部２４ａを覆う上側面部３４ｂと、主面部３４ａの下端から略垂直に折り曲げられて下側フレーム部２５の床板部２５ａを覆う下側面部３４ｃとを有する。一方、化粧シート３５は、主面部３４ａ、上側面部３４ｂ及び下側面部３４ｃを覆うように光拡散板３４に貼り付けられている。なお、ここで、化粧シート３５に代えて光拡散板３４に化粧層を設けても良い。
【００３８】
本実施形態の発光パネル１Ａでは、化粧部材３Ａは面状発光部２と着脱可能に嵌合されるので、上述の第１実施形態と同様な作用効果を得られる。しかも、上側フレーム部２４の天板部２４ａ及び下側フレーム部２５の床板部２５ａは化粧部材３Ａによって覆われるので、仮にこれらの部分が目立つものであっても、化粧部材３Ａで隠れることにより、周囲との統一感を維持することができる。
【００３９】
なお、この場合、上側フレーム部２４の天板部２４ａ及び下側フレーム部２５の床板部２５ａを覆う上側面部３４ｂと下側面部３４ｃを除き、化粧部材３Ａに面状発光部２の左右端部を覆う部分を更に設けても良い。また、本実施形態では、化粧部材３Ａが面状発光部２に嵌合される構造に、第１実施形態で述べたように磁力で取り付ける構造を更に加えても良く、このようにすれば、化粧部材３Ａと面状発光部２との嵌合状態をより安定させる効果を奏する。
【００４０】
＜第３実施形態＞
図５は第３実施形態の発光パネルを示す断面図である。本実施形態の発光パネル１Ｂは、磁力に代えていわゆるケンドン式の構造を用いて着脱可能とされる点で、第１実施形態と異なっている。その他の構成は第１実施形態と同様であるので、重複説明を省略する。
【００４１】
具体的には、上側フレーム部２４の表板部２４ｂの外側（すなわち、部屋内部に面する側）にはＬ字状の上枠部２８と、下側フレーム部２５の表板部２５ｂの外側にはＬ字状の下枠部２９とがそれぞれ設けられている。上枠部２８は、上側フレーム部２４に固定されており、表板部２４ｂとともに下方に開口する溝部２８１を形成する。下枠部２９は、下側フレーム部２５に固定されており、表板部２５ｂとともに上方に開口する溝部２９１を形成する。そして、上枠部２８の溝部２８１は、下枠部２９の溝部２９１より少し深くなっている。
【００４２】
上枠部２８は、上側フレーム部２４と一体的に形成されても良く、別体に形成された後に接着や溶接などで互いに固定されても良い。同様に、下枠部２９は、下側フレーム部２５と一体的に形成されても良く、別体に形成された後に接着や溶接などで互いに固定されても良い。なお、本実施形態では、上枠部２８と下枠部２９とは、それぞれ上側フレーム部２４と下側フレーム部２５と一体的に形成されている。
【００４３】
化粧部材３Ｂは、光拡散板３６及び化粧シート３２からなる。光拡散板３６は、上端部が上枠部２８の溝部２８１内、下端部が下枠部２９の溝部２９１内にそれぞれ嵌入してこれらの枠部に引掛ける引掛部３６ａと、上枠部２８及び下枠部２９の外側に配置されて外表面に化粧シート３２が貼り付けられたシート貼り付け部３６ｂと、引掛部３６ａ及びシート貼り付け部３６ｂの間に設けられて上枠部２８及び下枠部２９が挿入される逃げ部３６ｃと、を有する。このため、上下方向において、逃げ部３６ｃの幅は最も小さく、シート貼り付け部３６ｂの幅は最も大きい。なお、図５に示すように、引掛部３６ａ、シート貼り付け部３６ｂ及び逃げ部３６ｃは一体的に形成されている。なお、ここで、化粧シート３２に代えて光拡散板３６に化粧層を設けても良い。
【００４４】
このように構成された化粧部材３Ｂは、シート貼り付け部３６ｂが上枠部２８及び下枠部２９と干渉しないように、斜め下方から引掛部３６ａの上端部を上枠部２８の溝部２８１に差し込んだ後に、引掛部３６ａの下端部を下枠部２９の溝部２９１に落とし込むことで、面状発光部２に簡単に取り付けることができる。一方、化粧部材３Ｂを取り外したいとき、化粧部材３Ｂを上方に持ち上げた状態で引掛部３６ａの下端部を下枠部２９の溝部２９１から外せば良い。また、水平方向での空間に余裕がある場合には、該化粧部材３Ｂを横から（すわなち、水平方向から）上枠部２８及び下枠部２９に装着したり、外したりすることも可能である。
【００４５】
本実施形態の発光パネル１Ｂによれば、第１実施形態と同様な作用効果を得られる。
【００４６】
＜第４実施形態＞
図６は第４実施形態の発光パネルを示す断面図である。本実施形態の発光パネル１Ｃは、面状発光部２Ａが光拡散板３１を有すること、及び化粧部材３Ｃの構造において、第１実施形態と異なっている。その他の構成は第１実施形態と同様であるので、重複説明を省略する。
【００４７】
図６に示すように、光拡散板３１は、導光板２２の出光面２２ｃに配置されており、光源２１及び導光板２２とともに上側フレーム部２４及び下側フレーム部２５によって保持されている。一方、化粧部材３Ｃは、光透過性を有する透明板（板状部材）３７と、該透明板３７に貼り付けられた化粧シート３２とを有する。なお、ここで、化粧シート３２に代えて透明板３７に化粧層を設けても良い。そして、鉄片部材３３は接着などで透明板３７に固定されている。
【００４８】
本実施形態の発光パネル１Ｃによれば、第１実施形態と同様な作用効果を得られる。
【００４９】
＜第５実施形態＞
図７は第５実施形態の発光パネルを示す断面図である。本実施形態の発光パネル１Ｄは、化粧部材３Ｄの構造において第１実施形態と異なっている。その他の構成は第１実施形態と同様であるので、重複説明を省略する。
【００５０】
具体的には、化粧部材３Ｄは、矩形状を呈する平板状の枠体３８と、該枠体３８に貼り付けられた化粧シート３２とを有する。枠体３８は、鉄製であって、中央部に空洞部３８ａが形成されるように、例えば打ち抜き加工で形成されている。出光面２２ｃから出射される光を影響しないために、空洞部３８ａの大きさは、保持部２３から露出した出光面２２ｃの部分と同じか、それより大きいことが好ましい。
【００５１】
本実施形態の発光パネル１Ｄによれば、第１実施形態と同様な作用効果を得られるほか、枠体３８と化粧シート３２とを有する化粧部材３Ｄが用いられることで、化粧部材３Ｄの軽量化を図ることができる。なお、本実施形態において、化粧部材３Ｄのタワミと化粧シート３２の皺やたるみとを防止する観点、及び意匠性を向上する観点からは、図９（ａ）に示すように枠体３８の内部に格子状の補強部材３９ａを設けても良く、又は図９（ｂ）に示すように枠体３８の内部に幾何学模様を有する補強部材３９ｂを設けても良く、若しくは図９（ｃ）に示すように彫刻を有する補強部材３９ｃを設けも良い。これらの補強部材３９ａ，３９ｂ，３９ｃは、光透過性を有する材料によって形成されても良く、非光透過性を有する材料によって形成されても良い。そして、これらの補強部材３９ａ，３９ｂ，３９ｃは、例えば枠体３８と別々に作製してから接着などで一体的に組み立てられている。
【００５２】
＜第６実施形態＞
図１０は第６実施形態の発光パネルを示す断面図である。本実施形態の発光パネル１Ｅは、化粧部材３Ｅの構造において第５実施形態と異なっている。その他の構成は第５実施形態と同様であるので、重複説明を省略する。
【００５３】
図１０に示すように、化粧部材３Ｅは、第５実施形態の化粧部材３Ｄと同様に枠体３８と化粧シート３２とを有するが、枠体３８と化粧シート３２との配置位置を入れ替えるようにされている。すなわち、化粧シート３２は導光板２２の出光面２２ｃに隣接して配置されており、枠体３８は部屋内部側に隣接して配置されている。そして、鉄片部材３３は化粧シート３２を介して枠体３８に固定されている。
【００５４】
本実施形態の発光パネル１Ｅによれば、第５実施形態と同様な作用効果を得られるほか、例えば化粧シート３２を絵画が印刷されたものとしつつ、枠体３８を額縁のように加工することで、光る絵画のような雰囲気を得ることができる。また、ここで、枠体３８に代えて、光透過性を有する板状部材にいわゆるザグリ加工を施したものを用いても良い。
【００５５】
＜第７実施形態＞
図１１は第７実施形態の発光パネルを示す断面図である。本実施形態の発光パネル１Ｆは、面状発光部２Ｂが直下型の面光源装置である点において、第１実施形態と異なっている。その他の構成は第１実施形態と同様であるので、重複説明を省略する。
【００５６】
具体的には、面状発光部２Ｂは、表面に複数の点状発光素子４１が配置された基板４２を有する。基板４２は、第１実施形態の導光板２２と同様に矩形状の薄板を呈しており、上側フレーム部２４及び下側フレーム部２５によって挟持されている。点状発光素子４１は、例えば点状ＬＥＤからなり、基板４２における化粧部材３に面する主面に規則正しく配置され、光拡散板３１に向かって光を直接照射する。
【００５７】
本実施形態の発光パネル１Ｆによれば、第１実施形態と同様な作用効果を得られる。
【００５８】
以上、本開示の実施形態について詳述したが、本発明は、上記の実施形態に限定されるものではなく、特許請求の範囲に記載された本発明の精神を逸脱しない範囲で、種々の設計変更を行うことができるものである。例えば、上述の実施形態では、上側フレーム部２４及び下側フレーム部２５を有する保持部２３について説明したが、保持部に上側フレーム部２４及び下側フレーム部２５を連結する裏板部を更に設けても良い。この場合には、光反射板２６を、保持部２３の裏板部と導光板２２の裏面２２ｄとの間に配置すれば良い。
【符号の説明】
【００５９】
１，１Ａ，１Ｂ，１Ｃ，１Ｄ，１Ｅ，１Ｆ    発光パネル
２，２Ａ，２Ｂ    面状発光部
３，３Ａ，３Ｂ，３Ｃ，３Ｄ，３Ｅ    化粧部材
２１    光源
２２    導光板
２２ａ    入光面
２２ｃ    出光面
２３    保持部
２４    上側フレーム部
２４ａ    天板部
２４ｂ，２５ｂ    表板部
２４ｃ，２５ｃ    裏板部
２５    下側フレーム部
２５ａ    床板部
２６    光反射板
２７    磁石
２８    上枠部
２９    下枠部
３１，３４，３６    光拡散板
３２，３５    化粧シート
３３    鉄片部材
３６ａ    引掛部
３６ｂ    シート貼り付け部
３６ｃ    逃げ部
３７    透明板（板状部材）
３８    枠体
３８ａ    空洞部
３９ａ，３９ｂ，３９ｃ    補強部材
４１    点状発光素子
４２    基板
２４１，２５１    凹溝
２８１，２９１    溝部
Ｗ    壁
【図１】
2019023954.tif 000003
【図２】
2019023954.tif 000004
【図３】
2019023954.tif 000005
【図４】
2019023954.tif 000006
【図５】
2019023954.tif 000007
【図６】
2019023954.tif 000008
【図７】
2019023954.tif 000009
【図８】
2019023954.tif 000010
【図９】
2019023954.tif 000011
【図１０】
2019023954.tif 000012
【図１１】
2019023954.tif 000013